(57)【要約】【課題】比較的長い時間、足の裏の所望の位置を確実に刺激することが可能な足裏刺激具を提供する。【解決手段】足裏刺激具１に、ゴムによって形成されている本体２と、本体２の下面に貼付けられている粘着シート３とを具備させ、本体２を、平面形状が一対の長辺２ａと一対の短辺２ｂとを有した長方形に、正面形状が正面底辺２ｃと正面第一側辺２ｄと正面上辺２ｅと正面第二側辺２ｆとを有した台形に、更に、側面形状が側面底辺２ｇと円弧状の側面上辺２ｈとを有したかまぼこ形に、夫々形成させる。【選択図】図１
0003184594.tif 000002
【実用新案登録請求の範囲】
【請求項１】
ゴムによって形成されている本体と、
該本体の下面に貼付けられており、該本体を履物の中底に取付けるための粘着シートと
を具備し、
前記本体は、
平面形状が、一対の長辺と、該長辺の半分よりも長さが短い一対の短辺とを有した長方形に形成されており、且つ、
前記長辺側を正面とする正面形状が、前記長辺と同じ長さの正面底辺と、該正面底辺の一方の端部から上側へ垂直に前記短辺の半分よりも短く延びている正面第一側辺と、該正面第一側辺の上端から前記正面底辺と平行に他方側へ向って途中まで延びている正面上辺と、該正面上辺の他方側の端部から前記正面底辺の他方側の端部まで斜めに延びている正面第二側辺とを有した台形に形成されており、更に、
前記短辺側を側面とする側面形状が、前記短辺と同じ長さの側面底辺と、該側面底辺の一方の端部から上方へ円弧状に前記正面第一側辺と同じ高さに膨らんだ後に他方の端部まで延びている側面上辺とを有したかまぼこ形に形成されている
ことを特徴とする足裏刺激具。
【請求項２】
前記本体は、
一対の前記長辺の間隔が３０ｍｍ〜４０ｍｍ、一対の前記短辺の間隔が７５ｍｍ〜８５ｍｍ、及び前記正面底辺と前記正面上辺との間隔が１１ｍｍ〜１３ｍｍ、に夫々形成されていることを特徴とする請求項１に記載の足裏刺激具。
【請求項３】
前記本体は、
前記正面底辺と前記正面第二側辺とが交わる角度が１５度〜２０度に形成されていることを特徴とする請求項１又は請求項２に記載の足裏刺激具。
【考案の詳細な説明】
【技術分野】
【０００１】
本考案は、足の裏を刺激するための足裏刺激具に関する。
【背景技術】
【０００２】
足の裏を刺激する健康具として、竹等を半割にした半円柱状の健康具が知られている。この健康具を床に置いた状態で、使用者が踏むことにより、足の裏を刺激することができる。これにより、血行が良くなって疲労等を回復させることができると言われている。
【０００３】
しかしながら、上記のような健康具では、使用者が踏んでいる状態では移動させることができないため、使用する場所や、使用時間等が限られてしまう問題があった。また、床に置いた健康具を使用者が踏むことから、健康具と足の裏との相対位置が変化し易く、健康具を踏む（健康具と当接する）足の裏の位置によっては、健康具による効果が充分に得られないことがある。
【考案の概要】
【考案が解決しようとする課題】
【０００４】
本考案は、比較的長い時間、足の裏の所望の位置を確実に刺激することが可能な足裏刺激具の提供を課題とする。
【課題を解決するための手段】
【０００５】
上記の課題を解決するために、本考案に係る足裏刺激具は、「ゴムによって形成されている本体と、該本体の下面に貼付けられており、該本体を履物の中底に取付けるための粘着シートとを具備し、前記本体は、平面形状が、一対の長辺と、該長辺の半分よりも長さが短い一対の短辺とを有した長方形に形成されており、且つ、前記長辺側を正面とする正面形状が、前記長辺と同じ長さの正面底辺と、該正面底辺の一方の端部から上側へ垂直に前記短辺の半分よりも短く延びている正面第一側辺と、該正面第一側辺の上端から前記正面底辺と平行に他方側へ向って途中まで延びている正面上辺と、該正面上辺の他方側の端部から前記正面底辺の他方側の端部まで斜めに延びている正面第二側辺とを有した台形に形成されており、更に、前記短辺側を側面とする側面形状が、前記短辺と同じ長さの側面底辺と、該側面底辺の一方の端部から上方へ円弧状に前記正面第一側辺と同じ高さに膨らんだ後に他方の端部まで延びている側面上辺とを有したかまぼこ形に形成されている」ことを特徴とする。
【０００６】
ここで、「履物」としては、靴、スリッパ、サンダル、草履、下駄、を例示することができる。
【０００７】
本考案の足裏刺激具によれば、本体の下面に粘着シートが貼付けられているため、その粘着シートによって履物の中底に貼付けることにより、一般的な履物に対して簡単に取付けることができる。そして、本足裏刺激具を履物の中底に取付けた状態で、その履物を履くことにより本体が足の裏と当接し、足の裏を刺激することができる。従って、通勤や通学、職場や家庭等において普段履いている履物に取付けることにより、移動中でも足の裏を刺激することができ、比較的長い時間足の裏を刺激し続けることができる。
【０００８】
また、粘着シートによって履物の中底に取付けることにより、履物に対して足裏刺激具の位置を固定することができるため、足裏刺激具を取付けた履物を履くことで、足に対して履物が位置決めされて足裏刺激具と足の裏との相対位置が変化し難くなり、足の裏の同じ位置を足裏刺激具によって刺激することができる。従って、履物の中底に対して、足の裏において刺激したい所望の位置と対応した位置に、足裏刺激具を取付けることで、足の裏の所望の位置を確実に刺激することができる。
【０００９】
更に、足裏刺激具の本体を、平面形状が長方形に、正面形状が一方の脚（正面第一側辺）を垂直にした台形に、更に、側面形状がかまぼこ形になるような形状に形成している。つまり、本体の上面を、長辺方向の一方の端部から他方の端部の途中まで側面上辺と同じ円弧の半径で湾曲させており、そこから他方の端部までは他方の端部に向うに従って低くなると共に半径が大きくなるように湾曲させた形状としている（図１（ｄ）において二点鎖線で示す断面形状を参照）。これにより、本体の上面が長辺方向の途中で折曲がっていることから、履物の中底に対して本足裏刺激具を取付ける向きを適宜設定することによって、足の裏の形状に合わせることが可能となり、本体の上面全体を足の裏に当接させることができ、本体全体で足の裏を刺激することができる。
【００１０】
具体的には、本足裏刺激具を、一対の長辺が履物の前後方向（指先と踵を結ぶ方向）へ離間する向きとすると共に、正面第一側辺が一対の履物における内側を向くように本体を向けた状態で、履物の中底において足の土踏まずと対応する位置に取付けるようにすることが望ましい。上記のように履物の中底に足裏刺激具を取付けた状態では、履物の前側から後側へ向う方向が円弧状のかまぼこ形に膨らむと共に、履物の内側から外側へ向う方向が内側の脚（正面第一側辺）を垂直にした台形に膨らむこととなる。一方、足の裏の土踏まずの位置では、足の前側から後側へ向う方向が接地面（履物の中底）に当接した状態から離れた後に再び履物の中底に接していると共に、足の内側から外側へ向う方向が履物の中底から離れた状態から外側へ向うに従って履物の中底に接近し外側付近で履物の中底に接している。従って、足裏刺激具の本体の形状が、足の裏の土踏まずの位置の形状と近似していることから、本体が土踏まずの位置に対して略均等に当接することとなり、足の裏において土踏まずの位置を効果的に刺激することができる。また、本足裏刺激具によって足の裏の土踏まずの位置を比較的長い時間刺激し続けた場合、足つり（こむら返り）が起こり難くなる。
【００１１】
また、本考案に係る足裏刺激具は、上記の構成に加えて、「一対の前記長辺の間隔が３０ｍｍ〜４０ｍｍ、一対の前記短辺の間隔が７５ｍｍ〜８５ｍｍ、及び前記正面底辺と前記正面上辺との間隔が１１ｍｍ〜１３ｍｍ、に夫々形成されている」ことを特徴としても良い。
【００１２】
本考案の足裏刺激具によれば、本体の各寸法を上記の範囲内とすることにより、一般的な履物に対して確実に取付けることができ、汎用性を高くすることができる。
【００１３】
更に、本考案に係る足裏刺激具は、上記の構成に加えて、「前記本体は、前記正面底辺と前記正面第二側辺とが交わる角度が１５度〜２０度に形成されている」ことを特徴としても良い。
【００１４】
本考案の足裏刺激具によれは、履物の中底において足の裏の土踏まずと対応した位置に取付けた場合に、接地面に対する足の裏の面の角度に近い角度で傾斜することとなるため、本体の上面全体が足の裏に当接し易くなり、足の裏の所望の位置を確実に刺激することができる。
【考案の効果】
【００１５】
上記のように、本考案によると、比較的長い時間、足の裏の所望の位置を確実に刺激することが可能な足裏刺激具を提供できる。
【図面の簡単な説明】
【００１６】
【図１】（ａ）は本考案の一実施形態である足裏刺激具の平面図であり、（ｂ）は足裏刺激具の左側面図であり、（ｃ）は足裏刺激具の正面図であり、（ｄ）は足裏刺激具の斜視図である。
【図２】（ａ）は図１の足裏刺激具の使用状態を示す平面図であり、（ｂ）は（ａ）の正面図である。
【考案を実施するための形態】
【００１７】
本考案の一実施形態である足裏刺激具１について、図１及び図２を参照して詳細に説明する。本実施形態の足裏刺激具１は、靴等の履物Ｓ（図２を参照）の中底Ｓ１に取付けた状態で、その履物Ｓを履くことにより、足の裏を刺激するものである。図２では、一対の履物Ｓは左右が対称のため、右側の履物Ｓについてのみ示している。本実施形態の足裏刺激具１は、ゴムによって形成されている本体２と、本体２の下面に貼付けられている粘着シート３と、を備えている。なお、図１（ｄ）において、一点鎖線は短辺２ｂの中央で切断した断面形状を示しており、二点鎖線は長辺２ａの延びた方向の任意の位置で切断した断面形状を示している。
【００１８】
本体２は、図１（ａ）に示すように、平面形状が、一対の長辺２ａと、長辺２ａの半分よりも長さが短い一対の短辺２ｂと、を有した長方形に形成されている。また、本体２は、図１（ｃ）に示すように、長辺２ａ側を正面とする正面形状が、長辺２ａと同じ長さの正面底辺２ｃと、正面底辺２ｃの一方（図１（ｃ）において左方）の端部から上側へ垂直に短辺２ｂの半分よりも短く延びている正面第一側辺２ｄと、正面第一側辺２ｄの上端から正面底辺２ｃと平行に他方側へ向って途中まで延びている正面上辺２ｅと、正面上辺２ｅの他方側の端部から正面底辺２ｃの他方側の端部まで斜めに延びている正面第二側辺２ｆと、を有した台形（一方の脚を垂直にした台形）に形成されている。
【００１９】
また、本体２は、図１（ｂ）に示すように、短辺２ｂ側を側面とする側面形状が、短辺２ｂと同じ長さの側面底辺２ｇと、側面底辺２ｇの一方（図１（ｂ）において左方）の端部から上方へ円弧状に正面第一側辺２ｄと同じ高さに膨らんだ後に他方の端部まで延びている側面上辺２ｈと、を有したかまぼこ形に形成されている。
【００２０】
この本体２は、上記のように、平面形状が長方形に、正面形状が一方の脚を垂直にした台形に、更に、側面形状がかまぼこ形に、夫々形成されているため、上面が、長辺２ａ方向の一方の端部から他方の端部の途中まで側面上辺２ｈと同じ円弧の半径で湾曲しており、そこから他方の端部までは図１（ｄ）において二点鎖線で示すように他方の端部に向うに従って高さが低くなると共に半径が大きくなるように湾曲している。
【００２１】
また、本体２は、図示するように、底面を除いた各側面と上面とによって形成されている夫々の角が、丸く面取りされており、全体が丸みを帯びている。これにより、使用者に対して痛みを与え難くしている。
【００２２】
本実施形態の本体２は、一対の長辺２ａの間隔Ａが３０ｍｍ〜４０ｍｍ、一対の短辺２ｂの間隔Ｂが７５ｍｍ〜８５ｍｍ、正面底辺２ｃと正面上辺２ｅとの間隔Ｃが１１ｍｍ〜１３ｍｍ、正面上辺２ｅの長さＤが４５ｍｍ〜５０ｍｍ、及び、正面底辺２ｃと正面第二側辺２ｆとが交わる角度が１５度〜２０度、に夫々形成されている。また、円弧状の側面上辺２ｈの半径が２０ｍｍ〜２５ｍｍに形成されている。本体２の各寸法を上記の範囲内とすることにより、一般的な履物Ｓに対して確実に取付けることができ、汎用性を高くすることができる。
【００２３】
粘着シート３は、貼付けた後で比較的剥がし易い市販の両面テープを用いている。また、図示は省略するが、粘着シート３の下面には、剥離紙が貼付けられている。
【００２４】
次に、本実施形態の足裏刺激具１の使用方法について説明する。ここでは、刺激した足Ｌの裏の所望の位置として、土踏まずＬ１を刺激する場合を説明する。まず、下面に貼付けられている図示しない剥離紙を剥がす。そして、一対の長辺２ａが履物Ｓの前後方向へ離間する向きとすると共に、正面第一側辺２ｄが履物Ｓにおける内側を向くように本体２を向けた状態で、履物Ｓの中底Ｓ１において足Ｌの土踏まずＬ１と対応する位置に取付ける（図２を参照）。履物Ｓの中底Ｓ１に足裏刺激具１を取付けた状態では、履物Ｓの前側から後側へ向う方向が円弧状のかまぼこ形に膨らんでいると共に、履物Ｓの内側から外側へ向う方向が内側の脚（正面第一側辺２ｄ）を垂直にした台形に膨らんでいる。
【００２５】
そして、履物Ｓの中底Ｓ１に足裏刺激具１を取付けた状態で、その履物Ｓを使用者が履くことにより、本体２の上面が足Ｌの裏の土踏まずＬ１の位置に対して略均等に当接することとなり、足Ｌの裏において土踏まずＬ１の位置を刺激することができる。従って、足裏刺激具１を取付けた履物Ｓを履き続けることにより、土踏まずＬ１の位置を比較的長い時間刺激し続けることができ、足つり（こむら返り）が起こり難くなる。
【００２６】
このように、本実施形態の足裏刺激具１によれば、本体２の下面に粘着シート３が貼付けられているため、その粘着シート３によって履物Ｓの中底Ｓ１に貼付けることにより、一般的な履物Ｓに対して簡単に取付けることができる。そして、この足裏刺激具１を履物Ｓの中底Ｓ１に取付けた状態で、その履物Ｓを履くことにより本体２が足Ｌの裏と当接し、足Ｌの裏を刺激することができる。従って、通勤や通学、職場や家庭等において普段履いている履物Ｓに取付けることにより、移動中でも足Ｌの裏（土踏まずＬ１）を刺激することができ、比較的長い時間足Ｌの裏を刺激し続けることができる。
【００２７】
また、粘着シート３によって履物Ｓの中底Ｓ１に取付けることにより、履物Ｓに対して足裏刺激具１の位置を固定することができるため、足裏刺激具１を取付けた履物Ｓを履くことで、足Ｌに対して履物Ｓが位置決めされて足裏刺激具１と足Ｌの裏との相対位置が変化し難くなり、足Ｌの裏の同じ位置を足裏刺激具１によって刺激することができ、足Ｌの裏の所望の位置を確実に刺激することができる。
【００２８】
更に、粘着シート３に比較的剥がし易い両面テープを用いているため、履物Ｓの中底Ｓ１に対して容易に脱着させることができる。従って、履物Ｓの中を掃除する際に、足裏刺激具１を簡単に取外すして掃除をすることができる。
【００２９】
以上、本考案について好適な実施形態を挙げて説明したが、本考案は上記の実施形態に限定するものではなく、本考案の要旨を逸脱しない範囲において、種々の改良及び設計の変更が可能である。
【００３０】
例えば、上記の実施形態では、足裏刺激具１を、履物Ｓの中底Ｓ１に直接取付ける例を示したが、これに限定するものではなく、履物Ｓの中底Ｓ１に敷かれる中敷に足裏刺激具１を取付けても良い。
【００３１】
また、上記の実施形態では、足裏刺激具１を、履物Ｓの中底Ｓ１において足Ｌの土踏まずＬ１と対応する位置に取付ける例を示したが、これに限定するものではなく、履物Ｓの中底Ｓ１の他の部位に取付けても良い。
【符号の説明】
【００３２】
１  足裏刺激具
２  本体
２ａ  長辺
２ｂ  短辺
２ｃ  正面底辺
２ｄ  正面第一側辺
２ｅ  正面上辺
２ｆ  正面第二側辺
２ｇ  側面底辺
２ｈ  側面上辺
３  粘着シート
Ａ  間隔
Ｂ  間隔
Ｃ  間隔
Ｄ  寸法
Ｅ  角度
Ｌ  足
Ｌ１  土踏まず
Ｓ  履物
Ｓ１  中底
【図１】
0003184594.tif 000003
【図２】
0003184594.tif 000004